(57)【要約】【課題】特別なＰＣなどが必要なく、メンテナンスを実施するための保守作業をスムーズとなる情報処理装置を提供する。【解決手段】ネットワーク７０１上に複数台接続される情報処理装置１０１、２０１において、ＣＰＵ回路部１０２と、ＳＳＤ回路部１０３と、ＣＯＬＬＥＣＴ＿ＳＷ１００２とを備え、ＣＰＵ回路部１０２は、初期ＳＳＤ情報４１１と、ＳＳＤ情報４１０とを比較した比較結果４０８の作成が可能であり、いずれか１つの情報処理装置１０１のＣＯＬＬＥＣＴ＿ＳＷ１００２が押されると、当該情報処理装置１０１のＣＰＵ回路部１０２は、ネットワーク７０１上に接続されている全ての情報処理装置２０１の比較結果４０８を収集するための要求信号を送信し、他の情報処理装置２０１のＣＰＵ回路部１０２は、比較結果４０８を作成してネットワーク７０１上を介して、１つの情報処理装置１０１に送信する。【選択図】図１
2014149753.tif 000002
【特許請求の範囲】
【請求項１】
ネットワーク上に複数台接続される情報処理装置において、
上記情報処理装置を制御するＣＰＵ回路部と、
上記情報処理装置の情報を記録するＳＳＤ（ＳｏｌｉｄＳｔａｔｅＤｒｉｖｅ）回路部と、
上記ＳＳＤ回路部に形成されたＳＭＡＲＴ情報収集用のスイッチ（以下、ＣＯＬＬＥＣＴ＿ＳＷと称す）とを備え、
上記ＣＰＵ回路部は、上記ＳＳＤ回路部の健全性の基準となる閾値ＳＳＤ情報を有し、上記閾値ＳＳＤ情報と、上記ＳＳＤ回路部の健全性を示すＳＳＤ情報とを比較した比較結果の作成が可能であり、
いずれか１つの上記情報処理装置の上記ＣＯＬＬＥＣＴ＿ＳＷが押されると、
当該情報処理装置の上記ＣＰＵ回路部は、上記ネットワーク上に接続されている全ての上記情報処理装置の上記比較結果を収集するために、上記ネットワーク上に要求信号を送信し、
上記要求信号を受信した上記情報処理装置の上記ＣＰＵ回路部は、上記比較結果を作成して上記ネットワーク上を介して、上記１つの情報処理装置に送信する情報処理装置。
【請求項２】
ネットワーク上に複数台接続される情報処理装置において、
上記情報処理装置を制御するＣＰＵ回路部と、
上記情報処理装置の情報を記録するＳＳＤ回路部と、
上記ＳＳＤ回路部に形成された健全性確認用スイッチ（以下、ＴＥＳＴ＿ＳＷと称す）とを備え、
上記ＣＰＵ回路部は、上記ＳＳＤ回路部の健全性をテストするテストプログラムを有し、上記テストプログラムによるテスト結果の作成が可能であり、
いずれか１つの上記情報処理装置の上記ＴＥＳＴ＿ＳＷが押されると、
当該情報処理装置の上記ＣＰＵ回路部は、上記ネットワーク上に接続されている全ての上記情報処理装置の上記テスト結果を収集するために、上記ネットワーク上にテスト開始信号を送信し、
上記テスト開始信号を受信した上記情報処理装置の上記ＣＰＵ回路部は、上記テスト結果を作成し上記ネットワーク上を介して、上記１つの情報処理装置に送信する情報処理装置。
【請求項３】
ネットワーク上に複数台接続される情報処理装置において、
上記情報処理装置を制御するＣＰＵ回路部と、
上記情報処理装置の情報を記録するＳＳＤ回路部と、
上記ＳＳＤ回路部に形成されたバックアップを行うための上記情報処理装置を選択する対象スイッチと、
上記ＳＳＤ回路部に形成されたデータバックアップ用スイッチ（以下、ＢＡＣＫＵＰ＿ＳＷと称す）と、
上記ＳＳＤ回路部のバックアップのデータを外部記憶装置に保存するバックアップ回路部とを備え、
いずれか１つの上記情報処理装置の上記ＢＡＣＫＵＰ＿ＳＷおよび上記対象スイッチが押されると、当該情報処理装置の上記ＣＰＵ回路部は、上記ネットワーク上に接続されている上記対象スイッチにて対象となる上記情報処理装置のバックアップを行わせるために、上記ネットワーク上にバックアップ開始信号を送信し、
上記バックアップ開始信号を受信した上記対象となる情報処理装置の上記バックアップ回路部は、上記バックアップを行うとともにバックアップ終了信号を上記ネットワーク上を介して、上記１つの情報処理装置に送信する情報処理装置。
【請求項４】
ネットワーク上に複数台接続される情報処理装置において、
上記情報処理装置を制御するＣＰＵ回路部と、
上記情報処理装置の情報を記録するＳＳＤ回路部とを備え、
上記ＣＰＵ回路部は、上記ＳＳＤ回路部の健全性の基準となる閾値ＳＳＤ情報を有し、
上記閾値ＳＳＤ情報と、上記ＳＳＤ回路部の健全性を示すＳＤＤ情報とを比較してエラーを判断し、
上記エラーが判断されると上記ネットワーク上を介して他の上記情報処理装置に当該エラーを通知する情報処理装置。
【請求項５】
上記ＣＰＵ回路部は、上記エラーの発生を判断すると、上記ネットワーク上に接続されている他の上記情報処理装置に当該情報処理装置が上記ネットワークから離脱することを通知するとともに、上記ネットワーク上からの離脱を行う請求項４に記載の情報処理装置。
【発明の詳細な説明】
【技術分野】
【０００１】
この発明は、ネットワークに接続される情報処理装置に関し、特にＳＳＤ（Ｓｏｌｉｄ  Ｓｔａｔｅ  Ｄｒｉｖｅ）の保守作業を容易に実施可能とするものである。
【背景技術】
【０００２】
従来のネットワークに接続される情報処理装置では、定期周期において記憶装置の保守メンテナンスが必要である。だが、システムにおいては記憶装置の数量が多大になることがあるため、メンテナンスに多大に時間を要する。また、一度に１台ずつしかメンテナンスできないという問題がある。従来の情報処理装置では、１台毎にメンテナンスを実施する必要があり、情報処理装置に接続可能なメンテナンス用ＰＣ上に搭載された保守ツールからメンテナンスすることにより実施していた（例えば、特許文献１から特許文献５参照）。
【先行技術文献】
【特許文献】
【０００３】
【特許文献１】特開２０１０−１０８１７４号公報
【特許文献２】特開２０１０−２５７３４０号公報
【特許文献３】特開２０１１−０４４１２１号公報
【特許文献４】特開２０１２−０７９１００号公報
【特許文献５】特開２０１２−１７８０１４号公報
【発明の概要】
【発明が解決しようとする課題】
【０００４】
従来の情報処理装置は、メンテナンス作業において、保守ツールが搭載されたメンテナンス用ＰＣが必要である。そして、作業員が、対象となる情報処理装置１台毎にメンテナンス用ＰＣを接続して作業しているため、作業時間および作業の手間が多くかかっていた。
また、ＳＳＤのＳＭＡＲＴコマンドを利用して、ＳＳＤの状態情報を収集することは示されているが、あくまで情報処理装置１台毎に対してである。よって、１つのネットワーク上に複数の情報処理装置が接続された場合には対応できないという問題点があった。
【０００５】
この発明は上記のような課題を解決するためになされたものであり、１つのネットワーク上に複数の情報処理装置が接続されている場合において、特別なＰＣおよびＰＣ上のツールが必要でなく、メンテナンスを実施するための保守作業をスムーズに行うことができる情報処理装置を提供することを目的とする。
【課題を解決するための手段】
【０００６】
この発明の情報処理装置は、
ネットワーク上に複数台接続される情報処理装置において、
上記情報処理装置を制御するＣＰＵ回路部と、
上記情報処理装置の情報を記録するＳＳＤ（ＳｏｌｉｄＳｔａｔｅＤｒｉｖｅ）回路部と、
上記ＳＳＤ回路部に形成されたＳＭＡＲＴ情報収集用のスイッチ（以下、ＣＯＬＬＥＣＴ＿ＳＷと称す）とを備え、
上記ＣＰＵ回路部は、上記ＳＳＤ回路部の健全性の基準となる閾値ＳＳＤ情報を有し、上記閾値ＳＳＤ情報と、上記ＳＳＤ回路部の健全性を示すＳＳＤ情報とを比較した比較結果の作成が可能であり、
いずれか１つの上記情報処理装置の上記ＣＯＬＬＥＣＴ＿ＳＷが押されると、
当該情報処理装置の上記ＣＰＵ回路部は、上記ネットワーク上に接続されている全ての上記情報処理装置の上記比較結果を収集するために、上記ネットワーク上に要求信号を送信し、
上記要求信号を受信した上記情報処理装置の上記ＣＰＵ回路部は、上記比較結果を作成して上記ネットワーク上を介して、上記１つの情報処理装置に送信するものである。
【０００７】
また、この発明の情報処理装置は、
ネットワーク上に複数台接続される情報処理装置において、
上記情報処理装置を制御するＣＰＵ回路部と、
上記情報処理装置の情報を記録するＳＳＤ回路部と、
上記ＳＳＤ回路部に形成された健全性確認用スイッチ（以下、ＴＥＳＴ＿ＳＷと称す）とを備え、
上記ＣＰＵ回路部は、上記ＳＳＤ回路部の健全性をテストするテストプログラムを有し、上記テストプログラムによるテスト結果の作成が可能であり、
いずれか１つの上記情報処理装置の上記ＴＥＳＴ＿ＳＷが押されると、
当該情報処理装置の上記ＣＰＵ回路部は、上記ネットワーク上に接続されている全ての上記情報処理装置の上記テスト結果を収集するために、上記ネットワーク上にテスト開始信号を送信し、
上記テスト開始信号を受信した上記情報処理装置の上記ＣＰＵ回路部は、上記テスト結果を作成し上記ネットワーク上を介して、上記１つの情報処理装置に送信するものである。
【０００８】
また、この発明の情報処理装置は、
ネットワーク上に複数台接続される情報処理装置において、
上記情報処理装置を制御するＣＰＵ回路部と、
上記情報処理装置の情報を記録するＳＳＤ回路部と、
上記ＳＳＤ回路部に形成されたバックアップを行うための上記情報処理装置を選択する対象スイッチと、
上記ＳＳＤ回路部に形成されたデータバックアップ用スイッチ（以下、ＢＡＣＫＵＰ＿ＳＷと称す）と、
上記ＳＳＤ回路部のバックアップのデータを外部記憶装置に保存するバックアップ回路部とを備え、
いずれか１つの上記情報処理装置の上記ＢＡＣＫＵＰ＿ＳＷおよび上記対象スイッチが押されると、当該情報処理装置の上記ＣＰＵ回路部は、上記ネットワーク上に接続されている上記対象スイッチにて対象となる上記情報処理装置のバックアップを行わせるために、上記ネットワーク上にバックアップ開始信号を送信し、
上記バックアップ開始信号を受信した上記対象となる情報処理装置の上記バックアップ回路部は、上記バックアップを行うとともにバックアップ終了信号を上記ネットワーク上を介して、上記１つの情報処理装置に送信するものである。
【０００９】
また、この発明の情報処理装置は、
ネットワーク上に複数台接続される情報処理装置において、
上記情報処理装置を制御するＣＰＵ回路部と、
上記情報処理装置の情報を記録するＳＳＤ回路部とを備え、
上記ＣＰＵ回路部は、上記ＳＳＤ回路部の健全性の基準となる閾値ＳＳＤ情報を有し、
上記閾値ＳＳＤ情報と、上記ＳＳＤ回路部の健全性を示すＳＤＤ情報とを比較してエラーを判断し、
上記エラーが判断されると上記ネットワーク上を介して他の上記情報処理装置に当該エラーを通知するものである。
【発明の効果】
【００１０】
これら発明の情報処理装置は、上記のように構成されているため、特別なＰＣおよびＰＣ上のツールが必要となく、メンテナンスを実施するための保守作業をスムーズに行うことができる。
【図面の簡単な説明】
【００１１】
【図１】この発明の実施の形態１の情報処理装置の構成を示す図である。
【図２】図１に示した情報処理装置のＳＳＤ回路部の外部Ｉ／Ｆを示した図である。
【図３】図１に示した情報処理装置のエラーコードの例の一覧を示した図である。
【図４】図１に示した情報処理装置の動作を示したフローチャートである。
【図５】この発明の実施の形態２の情報処理装置の構成を示す図である。
【図６】図５に示した情報処理装置のＳＳＤ回路部の外部Ｉ／Ｆを示した図である。
【図７】図５に示した情報処理装置のエラーコードの例の一覧を示した図である。
【図８】図５に示した情報処理装置の動作を示したフローチャートである。
【図９】この発明の実施の形態３の情報処理装置の構成を示す図である。
【図１０】図９に示した情報処理装置のＳＳＤ回路部の外部Ｉ／Ｆを示した図である。
【図１１】図９に示した情報処理装置のエラーコードの例の一覧を示した図である。
【図１２】図９に示した情報処理装置の動作を示したフローチャートである。
【図１３】この発明の実施の形態４の情報処理装置の構成を示す図である。
【図１４】図１３に示した情報処理装置のＳＳＤ回路部の外部Ｉ／Ｆを示した図である。
【図１５】図１３に示した情報処理装置のエラーコードの例の一覧を示した図である。
【図１６】図１３に示した情報処理装置の動作を示したフローチャートである。
【図１７】この発明の実施の形態５の情報処理装置の動作を示したフローチャートである。
【図１８】この発明の実施の形態５の情報処理装置のエラーコードの例の一覧を示した図である。
【発明を実施するための形態】
【００１２】
実施の形態１．
以下、本願発明の実施の形態について説明する。図１はこの発明の実施の形態１における情報処理装置の構成を示す図、図２は図１に示した情報処理装置のＳＳＤ回路部の外部Ｉ／Ｆを示した図、図３は図１に示した情報処理装置のエラーコードの例の一覧を示した図、図４は図１に示した情報処理装置の動作を示したフローチャートである。
【００１３】
図において、複数の情報処理装置１０１、２０１がネットワーク７０１に接続されている。（そして、情報処理装置１０１、２０１は、以下に示すように、同様に構成されている。）情報処理装置１０１、２０１は、情報処理装置１０１、２０１を制御するＣＰＵ回路部１０２と、情報処理装置１０１、２０１のデータを記憶するＳＳＤ回路部１０３と、ネットワーク７０１にデータを送受信するためのネットワーク回路部４０４とを備えている。ＳＳＤ回路部１０３は、当該ＳＳＤ回路部１０３の状態を示すＳＳＤ情報４１０を有している。ＣＰＵ回路部１０２とネットワーク回路部４０４との間は、データを送受信するための第１データバス４０５にて接続されている。ＣＰＵ回路部１０２とＳＳＤ回路部１０３との間は、データを送受信するための第２データバス４０６にて接続されている。
【００１４】
ＳＳＤ回路部１０３からＣＰＵ回路部１０２へはＣＯＬＬＥＣＴ信号４０７が送信される。ＣＰＵ回路部１０２はＦＬＡＳＨメモリ４０９を備えている。ＦＬＡＳＨメモリ４０９には、出荷時の初期ＳＳＤ情報（閾値ＳＳＤ情報）４１１を格納している。また、ＣＰＵ回路部１０２が作成した、初期ＳＳＤ情報４１１と、ＳＳＤ情報４１０とを比較した比較結果４０８を格納している。ＳＳＤ回路部１０３の外部インタフェースは、ＳＭＡＲＴ情報収集用のスイッチ（以下、ＣＯＬＬＥＣＴ＿ＳＷと称す）１００２と、ＣＯＬＬＥＣＴ＿ＳＷ１００２により収集した情報の結果を表示するＬＥＤ１００５と、情報処理装置Ｎｏ．を表示する第１表示部１００６と、エラーコードを表示する第２表示部１００７とを備えている。
【００１５】
図３には、ＳＳＤ情報のエラーコード例の一覧を示している。尚、図１においては、ネットワーク７０１に接続されている情報処理装置１０１、２０１として２つの装置の例を示しているが、これに限られることはなく、同様に構成された３つの装置、またはそれ以上の情報処理装置が同一ネットワーク７０１に接続された場合においても同様に行うことができる。また、エラーコード自体については、特別の規定はなく、製造するベンダ毎の独自の項目が設定されているものとしてよい。これらのことに関しては、以下の実施の形態においても同様であるため、この説明は適宜省略する。
【００１６】
次に上記のように構成された実施の形態１の情報処理装置の動作について、図４のフローチャートを交えて説明する。まず、ＣＯＬＬＥＣＴ＿ＳＷ１００２が押されるか否かを判断する（図４のステップＳＴ００２）。そして、ＣＯＬＬＥＣＴ＿ＳＷ１００２が押されなければ（ＮＯ）、再びステップＳＴ００２の判断に戻る。また、例えば、情報処理装置１０１に搭載されているＣＯＬＬＥＣＴ＿ＳＷ１００２が押されたとすると、ステップＳＴ００２はＹＥＳとなる。そして、ＣＯＬＬＥＣＴ＿ＳＷ１００２が押された情報処理装置１０１のＳＳＤ回路部１０３は、ＣＯＬＬＥＣＴ信号４０７を発信し、ＣＰＵ回路部１０２はこのＣＯＬＬＥＣＴ信号４０７を受信する（図４のステップＳＴ００３）。
【００１７】
次に、情報処理装置１０１のＣＰＵ回路部１０２は、第１データバス４０５およびネットワーク回路部４０４を介して、ネットワーク７０１上の全情報処理装置２０１に対して、比較結果の収集の要求信号を発信する（図４のステップＳＴ００４）。次に、情報処理装置２０１は要求信号を受信したか否かを判断する（図４のステップＳＴ００５）。そして、受信していない場合（ＮＯ）には、ステップＳＴ００５の判断に戻る。また、情報処理装置２０１のネットワーク回路部４０４は、ネットワーク７０１を介して比較結果の収集の要求信号を受信（ＹＥＳ）し、情報処理装置２０１のＣＰＵ回路部１０２は、要求信号の通知を受ける。
【００１８】
そして、情報処理装置２０１のＣＰＵ回路部１０２は、ＳＳＤ回路部１０３に対してＳＳＤ情報４１０を第２データバス４０６を介して収集し、ＦＬＡＳＨメモリ４０９に格納する。次に、情報処理装置２０１のＣＰＵ回路部１０２は、ＦＬＡＳＨメモリ４０９に格納したＳＳＤ情報４１０と、ＦＬＡＳＨメモリ４０９に格納されている初期ＳＳＤ情報４１１を比較し、比較結果４０８をＦＬＡＳＨメモリ４０９に格納する（図４のステップＳＴ００７）。次に、情報処理装置２０１は、ネットワーク回路部４０４およびネットワーク７０１を介して、情報処理装置２０１の比較結果４０８を要求信号発信元の情報処理装置１０１に送信する（図４のステップＳＴ００８）。
【００１９】
次に、要求信号発信元の情報処理装置１０１は、ネットワーク回路部４０４を介して、ＣＰＵ回路部１０２のＦＬＡＳＨメモリ４０９に比較結果４０８を格納する（図４のステップＳＴ００９）（尚、ＣＰＵ回路部１０２は全ての情報処理装置の比較結果をＦＬＡＳＨメモリ４０９に格納するものである。）。次に、情報処理装置１０１のＣＰＵ回路部１０２は、全ての比較結果が収集でき、かつ、全ての比較結果が正常であるかを否かを判断する（図４のステップＳＴ０１０）。そして、ＹＥＳであれば、第２データバス４０６を介してＬＥＤ１００５を緑色に点灯させる。また、比較結果を収集できない情報処理装置が存在する、または、比較結果にエラーが存在する場合には（ＮＯ）、ＣＰＵ回路部１０２は、比較結果を収集できなかった、または、比較結果にエラーが存在する情報処理装置ＮＯを第１表示部１００６に表示する（図４のステップＳＴ０１２）。
【００２０】
そして、第２表示部１００７にエラーコードを表示し、ＬＥＤ１００５を赤色に点灯さ（図４のステップＳＴ０１３）、処理を終了する（図４のステップＳＴ０１４）。尚、図３に示すように、第２表示部１００７に表示されるエラーコードは、比較結果が収集できない情報処理装置は”００”が表示され、それ以外のエラーの場合には、”１１〜２０・・”などのエラーコードがそれぞれ表示されることとなる。また、ステップＳＴ０１０で複数の情報処理装置がＮｏ．となる場合には、順番にエラーが表示される、または、複数の表示部を備える、または、複数のエラーが同時に表示できる表示部を備えることにより対応することできる。
【００２１】
上記のように構成された実施の形態１の情報処理装置によれば、ネットワークに接続された複数の情報処理装置において、１つの情報処理装置により、同一ネットワーク上に接続された全情報処理装置のＳＳＤ情報の管理を行うことができるため、特別なＰＣおよびＰＣ上のツールが必要となくなり、メンテナンスを実施するための保守作業をスムーズに行うことができる。
【００２２】
実施の形態２．
図５はこの発明の実施の形態２の情報処理装置の構成を示す図、図６は図５に示した情報処理装置のＳＳＤ回路部の外部Ｉ／Ｆを示した図、図７は図５に示した情報処理装置のエラーコードの例の一覧を示した図、図８は図５示した情報処理装置の動作を示したフローチャートである。本実施の形態３においては、同一ネットワーク上に接続された全ての情報処理装置に、ＳＳＤ回路部の健全性テストの結果を一括して収集する場合について説明する。
【００２３】
図において、上記各実施の形態と同様の部分は同一符号を付して説明を省略する。情報処理装置１０１、２０１には、ＳＳＤ回路部１０３からＣＰＵ回路部１０２へ送信するＴＥＳＴ信号６０８が存在し、ＦＬＡＳＨメモリ４０９には、ＳＳＤ回路部１０３の健全性を確認するためのテストプログラム６１１を有し、そのテスト結果６１０が格納されている。ＳＳＤ回路部１０３の外部インタフェースは、健全性確認用スイッチ（以下、ＴＥＳＴ＿ＳＷと称す）２００２が形成されている。
【００２４】
次に上記のように構成された実施の形態２の情報処理装置の動作について、図８のフローチャートを交えて説明する。まず、ＴＥＳＴ＿ＳＷ２００２が押されるか否かを判断する（図８のステップＳＴ１０２）。そして、ＴＥＳＴ＿ＳＷ２００２が押されなければ（ＮＯ）、再びステップＳＴ１０２の判断に戻る。また、情報処理装置１０１に搭載されているＴＥＳＴ＿ＳＷ２００２が押されたとすると、ステップＳＴ１０２はＹＥＳとなる。そして、ＴＥＳＴ＿ＳＷ２００２が押された情報処理装置１０１のＳＳＤ回路部１０３は、ＴＥＳＴ信号６０８を発信し、ＣＰＵ回路部１０２はこのＴＥＳＴ信号６０８を受信する（図８のステップＳＴ１０３）。
【００２５】
次に、情報処理装置１０１のＣＰＵ回路部１０２は、第１データバス４０５およびネットワーク回路部４０４を介して、ネットワーク７０１上の全情報処理装置２０１に対して、テスト結果の収集のテスト開始信号を発信する（図８のステップＳＴ１０４）。次に、情報処理装置２０１はテスト開始信号を受信したか否かを判断する（図８のステップＳＴ１０５）。そして、受信していない場合（ＮＯ）には、ステップＳＴ１０５の判断に戻る。また、情報処理装置２０１のネットワーク回路部４０４は、ネットワーク７０１を介してテスト結果の収集のテスト開始信号を受信（ＹＥＳ）し、情報処理装置２０１のＣＰＵ回路部１０２は、テスト開始信号の通知を受ける。
【００２６】
そして、情報処理装置２０１のＣＰＵ回路部１０２は、テストプログラム６１１を起動する（図８のステップＳＴ１０６）。次に、情報処理装置２０１のＣＰＵ回路部１０２は、ＳＳＤ回路部１０３に対してテストプログラム６１１を実施し、テスト結果６１０を第２データバス４０６を介して収集し、ＦＬＡＳＨメモリ４０９に格納する（図８のステップＳＴ１０７）。次に、情報処理装置２０１は、ネットワーク回路部４０４およびネットワーク７０１を介して、情報処理装置２０１のテスト結果６１０をテスト開始信号発信元の情報処理装置１０１に送信する（図８のステップＳＴ１０８）。
【００２７】
次に、テスト開始信号発信元の情報処理装置１０１は、ネットワーク回路部４０４を介して、ＣＰＵ回路部１０２のＦＬＡＳＨメモリ４０９にテスト結果６１０を格納する（図８のステップＳＴ１０９）（尚、ＣＰＵ回路部１０２は全ての情報処理装置のテスト結果をＦＬＡＳＨメモリ４０９に格納するものである。）。次に、情報処理装置１０１のＣＰＵ回路部１０２は、全てのテスト結果が収集でき、かつ、全てのテスト結果が正常であるかを否かを判断する（図８のステップＳＴ１１０）。そして、ＹＥＳであれば、第２データバス４０６を介してＬＥＤ１００５を緑色に点灯させる。
【００２８】
また、テスト結果を収集できない情報処理装置が存在する、または、テスト結果にエラーが存在する場合には（ＮＯ）、ＣＰＵ回路部１０２は、比較結果を収集できなかった、または、比較結果にエラーが存在する情報処理装置ＮＯを第１表示部１００６に表示する（図８のステップＳＴ１１２）。そして、第２表示部１００７にエラーコードを表示し、ＬＥＤ１００５を赤色に点灯さ（図８のステップＳＴ１１３）、処理を終了する（図８のステップＳＴ１１４）。尚、図７に示すように、第２表示部１００７に表示されるエラーコードは、テスト結果が収集できない情報処理装置は”２０”が表示され、それ以外のエラーの場合には、”２１〜２５・・”などのエラーコードがそれぞれ表示されることとなる。また、ステップＳＴ１１０で複数の情報処理装置がＮｏ．となる場合には、順番にエラーが表示される、または、複数の表示部を備える、または、複数のエラーが同時に表示できる表示部を備えることにより対応することできる。
【００２９】
上記のように構成された実施の形態２の情報処理装置によれば、ネットワークに接続された複数の情報処理装置において、１つの情報処理装置により、同一ネットワーク上に接続された全情報処理装置のＳＳＤ回路部のテスト結果の管理を行うことができるため、特別なＰＣおよびＰＣ上のツールが必要となくなり、メンテナンスを実施するための保守作業をスムーズに行うことができる。
【００３０】
実施の形態３．
図９はこの発明の実施の形態３の情報処理装置の構成を示す図、図１０は図９に示した情報処理装置のＳＳＤ回路部の外部Ｉ／Ｆを示した図、図１１は図９に示した情報処理装置のエラーコードの例の一覧を示した図、図１２は図９に示した情報処理装置の動作を示したフローチャートである。本実施の形態３においては、同一ネットワーク上に接続されたいずれかの情報処理装置において、外部記憶装置にＳＳＤ回路部のデータをバックアップする場合について説明する。
【００３１】
図において、上記各実施の形態と同様の部分は同一符号を付して説明を省略する。情報処理装置１０１、２０１は、ＳＳＤ回路部１０３のデータを情報処理装置１０１、２０１の外部の外部記憶装置３３１１にバックアップするためのＩ／Ｆとしてのバックアップ回路部３３１０と、ＳＳＤ回路部１０３とバックアップ回路部３３１０との間にデータを送受信するために形成された第３データバス３３０９とを備えている。そして、ＳＳＤ回路部１０３からＣＰＵ回路部１０２へ送信するバックアップ開始信号３３１２と、バックアップ回路部３３１０からＣＰＵ回路部１０２へ送信するバックアップ結果３３１３とが存在する。
【００３２】
ＳＳＤ回路部１０３の外部インタフェースは、データバックアップ用スイッチ（以下、ＢＡＣＫＵＰ＿ＳＷと称す）３９０２と、バックアップを行うための情報処理装置を選択する対象スイッチ３９０４と、対象スイッチ３９０４にて対象とされたバックアップ対象（情報処理装置Ｎｏ．）が表示される第３表示部３９０５とが形成されている。
【００３３】
次に上記のように構成された実施の形態３の情報処理装置の動作について、図１２のフローチャートを交えて説明する。まず、対象スイッチ３９０４が押され、バックアップ対象となる情報処理装置が選択された否かを判断する（図１２のステップＳＴ２０２）。そして、対象スイッチ３９０４が押されなければ（ＮＯ）、再びステップＳＴ２０２の判断に戻る。また、情報処理装置１０１に搭載されている対象スイッチ３９０４が押され、例えばバックアップの対象となる情報処理装置が情報処理装置２０１と選択されると、ステップＳＴ２０２はＹＥＳとなる。その際、第３表示部３９０５には、情報処理装置２０１のＮｏ．が表示される。
【００３４】
次に、ＢＡＣＫＵＰ＿ＳＷ３９０２が押されるか否かを判断する（図１２のステップＳＴ２０３）。そして、ＢＡＣＫＵＰ＿ＳＷ３９０２が押されなければ（ＮＯ）、再びステップＳＴ２０３の判断に戻る。また、情報処理装置１０１に搭載されているＢＡＣＫＵＰ＿ＳＷ３９０２が押されたとすると、ステップＳＴ２０３はＹＥＳとなる。そして、ＢＡＣＫＵＰ＿ＳＷ３９０２が押された情報処理装置１０１のＳＳＤ回路部１０３は、バックアップ開始３３１２を発信し、ＣＰＵ回路部１０２はバックアップ開始信号３３１２を受信する（図１２のステップＳＴ２０４）。
【００３５】
次に、情報処理装置１０１のＣＰＵ回路部１０２は、第１データバス４０５およびネットワーク回路部４０４を介して、ネットワーク７０１上の対象となる情報処理装置２０１に対して、バックアップテスト開始信号を発信する（図１２のステップＳＴ２０５）。次に、情報処理装置２０１はバックアップ開始信号を受信したか否かを判断する（図１２のステップＳＴ２０６）。そして、受信していない場合（ＮＯ）には、ステップＳＴ２０６の判断に戻る。また、情報処理装置２０１のネットワーク回路部４０４は、ネットワーク７０１を介してバックアップ開始信号を受信（ＹＥＳ）し、情報処理装置２０１のＣＰＵ回路部１０２は、バックアップ開始信号の通知を受ける。
【００３６】
そして、情報処理装置２０１のＣＰＵ回路部１０２は、バックアップ回路部３３１０を介して、ＳＳＤ回路部１０３のＳＳＤ情報４１０を第３データバス３３０９を介して入力し、外部記憶装置３３１１にバックアップする（図１２のステップＳＴ２０７）。次に、バックアップ回路部３３１０は、ＣＰＵ回路部１０２に対してバックアップ結果３３１３を送信し、ＣＰＵ回路部１０２はバックアップ結果３３１３をＦＬＡＳＨメモリ４０９に格納する（図１２のステップＳＴ２０８）。次に、情報処理装置２０１は、ネットワーク回路部４０４およびネットワーク７０１を介して、情報処理装置２０１のバックアップ結果３３１３をバックアップ開始信号発信元の情報処理装置１０１に送信する（図１２のステップＳＴ２０９）。
【００３７】
次に、バックアップ開始信号発信元の情報処理装置１０１は、ネットワーク回路部４０４を介して、ＣＰＵ回路部１０２のＦＬＡＳＨメモリ４０９にバックアップ結果３３１３を格納する（図１２のステップＳＴ２１０）。次に、情報処理装置１０１のＣＰＵ回路部１０２は、バックアップ結果３３１３が正常であるか否かを判断する（図１２のステップＳＴ２１１）。そして、ＹＥＳであれば、第２データバス４０６を介してＬＥＤ１００５を緑色に点灯させる。また、バックアップ結果を正常できない場合には（ＮＯ）、ＣＰＵ回路部１０２は、第２表示部１００７にエラーコードを表示し、ＬＥＤ１００５を赤色に点灯さ（図１２のステップＳＴ２１２）、処理を終了する（図１２のステップＳＴ２１４）。尚、図７に示すように、第２表示部１００７に表示されるエラーコードは、”３０〜３１・・”などのエラーコードがそれぞれ表示されることとなる。
【００３８】
上記のように構成された実施の形態３の情報処理装置によれば、ネットワークに接続された複数の情報処理装置において、１つの情報処理装置により、同一ネットワーク上に接続された選択した情報処理装置のＳＳＤ回路部のバックアップ結果の管理を行うことができるため、特別なＰＣおよびＰＣ上のツールが必要となくなり、メンテナンスを実施するための保守作業をスムーズに行うことができる。
【００３９】
実施の形態４．
図１３はこの発明の実施の形態４の情報処理装置の構成を示す図、図１４は図１３に示した情報処理装置のＳＳＤ回路部の外部Ｉ／Ｆを示した図、図１５は図１３に示した情報処理装置のエラーコードの例の一覧を示した図、図１６は図１３に示した情報処理装置の動作を示したフローチャートである。本実施の形態４においては、同一ネットワーク上に接続された複数の情報処理装置において、各外部記憶装置においてＳＳＤ回路部のＳＳＤ情報の管理を行う場合について説明する。
【００４０】
図において、上記各実施の形態と同様の部分は同一符号を付して説明を省略する。情報処理装置１０１、２０１のＣＰＵ回路部１０２は、常時、初期ＳＳＤ情報４０９と、ＳＳＤ回路部１０３の健全性を示すＳＳＤ情報４１０との比較を行い比較結果４０８のエラーが判断され、ネットワーク７０１上を介して他の情報処理装置にエラーを通知する。
【００４１】
次に上記のように構成された実施の形態５の情報処理装置の動作について、図１６のフローチャートを交えて説明する。まず、各情報処理装置１０１、２０１のＣＰＵ回路部１０２は、ＳＳＤ回路部１０３に対してＳＳＤ情報４１０を第２データバス４０６を介して収集し、ＦＬＡＳＨメモリ４０９に格納する（図１６のステップＳ３０２）。次に、ＣＰＵ回路部１０２は、ＦＬＡＳＨメモリ４０９に格納したＳＳＤ情報４１０と、ＦＬＡＳＨメモリ４０９に格納されている初期ＳＳＤ情報４１１を比較し、比較結果４０８をＦＬＡＳＨメモリ４０９に格納する（図１６のステップＳＴ３０３）。
【００４２】
次に、ＣＰＵ回路部１０２は、比較結果４０８に問題が発生したか否かを判断する（図１６のステップＳＴ３０４）。次に、問題無しと判断されると、再びステップＳＴ３０２に戻り、上記に示した動作を繰り返す。また、問題ありと判断されると、ＣＰＵ回路部１０２は、ＳＳＤ回路部１０３のＳＳＤ情報の収集を停止する（図１６のステップＳＴ３０５）。次に、当該情報処理装置Ｎｏ．と、エラーコードとを、第２データバス４０５を介して、ネットワーク回路部４０４に送信する。次に、ネットワーク回路部４０４は、ネットワーク７０１を介して、他の全情報処理装置に通知する（図１６のステップＳＴ３０６）。
【００４３】
次に、ネットワーク７０１の他の全情報処理装置は、エラー情報を、ネットワーク回路部４０４を介して受信する（図１６のステップＳＴ３０７）。次に、他の全情報処理装置は、エラーが存在する情報処理装置Ｎｏ．を第１表示部１００６に表示し、第２表示部１００７にエラーコードを表示し、ＬＥＤ１００５を赤色に点灯させ（図１６のステップＳＴ３０８）、処理を終了する（図１６のステップＳＴ３０９）。尚、図１５に示すように、第２表示部１００７に表示されるエラーコードは、”４１〜５０・・”などのエラーコードがそれぞれ表示されることとなる。また、複数の情報処理装置がＮｏ．となる場合には、順番にエラーが表示される、または、複数の表示部を備える、または、複数のエラーが同時に表示できる表示部を備えることにより対応することできる。
【００４４】
上記のように構成された実施の形態４の情報処理装置によれば、ネットワークに接続された複数の情報処理装置において、各情報処理装置により、それぞれがＳＳＤ情報の管理を行うことができ、他の情報処理装置にそれぞれのＳＳＤ情報を確認することができるため、特別なＰＣおよびＰＣ上のツールが必要となくなり、メンテナンスを実施するための保守作業をスムーズに行うことができる。
【００４５】
実施の形態５．
図１７はこの発明の実施の形態５の情報処理装置の動作を示したフローチャート、図１８はこの発明の実施の形態５の情報処理装置のエラーコードの例の一覧を示した図である。本実施の形態５においては、上記実施の形態４と異なり、同一ネットワーク上に接続された複数の情報処理装置において、各外部記憶装置においてＳＳＤ回路部のＳＳＤ情報の管理を行い、エラーが発生した場合にネットワークを離脱する場合について説明する。
【００４６】
図において、上記各実施の形態と同様の部分は同一符号を付して説明を省略する。情報処理装置１０１、２０１のＣＰＵ回路部１０２は、比較結果４０８にエラーが判断される、ネットワーク７０１上を介して他の情報処理装置にネットワーク７０１からの離脱を通知するとともに、当該離脱を行う。
【００４７】
次に上記のように構成された実施の形態５の情報処理装置の動作について、図１７のフローチャートを交えて説明する。まず、上記実施の形態４と同様の工程を経て、ＳＳＤ回路部１０３のＳＳＤ情報にエラーが発生し、ＳＳＤ情報の収集の停止を行った（図１７のステップＳＴ３０５）後、当該ＣＰＵ回路部１０２は、当該情報処理装置のＮｏ．と、ネットワークから離脱する離脱通知信号を、第２データバス４０５を介して、ネットワーク回路部４０４に送信する。次に、ネットワーク回路部４０４は、ネットワーク７０１を介して、他の全情報処理装置に通知する（図１７のステップＳＴ５０６）。
【００４８】
次に、ネットワーク７０１の他の全情報処理装置は、エラー情報を、ネットワーク回路部４０４を介して受信する（図１７のステップＳＴ５０７）。次に、他の全情報処理装置は、エラーが存在する情報処理装置Ｎｏ．を第１表示部１００６に表示し、第２表示部１００７にエラーコード”ＦＦ”を表示し、ＬＥＤ１００５を赤色に点灯させ（図１７のステップＳＴ５０８）、処理を終了する（図１７のステップＳＴ５１１）。また、エラーを通知した当該情報処理装置のＣＰＵ回路部１０２は、ネットワーク回路部４０４にネットワーク離脱命令を行う（図１７のステップＳＴ５０９）。次に、ネットワーク回路部４０４は、ネットワーク７０１からの離脱を行い（図１７のステップＳＴ５１０）、処理を終了する（図１７のステップＳＴ５１１）。
【００４９】
上記のように構成された実施の形態５の情報処理装置によれば、上記実施の形態４と同様の効果を奏するのはもちろんのこと、ＳＳＤ情報にエラーが発生した場合、ネットワークからの離脱を容易に行うことができる。
【００５０】
尚、本発明は、その発明の範囲内において、各実施の形態を自由に組み合わせたり、各実施の形態を適宜、変形、省略することが可能である。
【符号の説明】
【００５１】
１００２  ＣＯＬＬＥＣＴ＿ＳＷ、１０１  情報処理装置、１０２  ＣＰＵ回路部、
１０３  ＳＳＤ回路部、２００２  ＴＥＳＴ＿ＳＷ、２０１  情報処理装置、
２０１  全情報処理装置、３３１０  バックアップ回路部、３３１１  外部記憶装置、
３３１３  バックアップ結果、３９０２  ＢＡＣＫＵＰ＿ＳＷ、
３９０４  対象スイッチ、４０８  比較結果、４１０  ＳＳＤ情報、
４１１  初期ＳＳＤ情報、６１０  テスト結果、６１１  テストプログラム、
７０１  ネットワーク。
【図１】
2014149753.tif 000003
【図２】
2014149753.tif 000004
【図３】
2014149753.tif 000005
【図４】
2014149753.tif 000006
【図５】
2014149753.tif 000007
【図６】
2014149753.tif 000008
【図７】
2014149753.tif 000009
【図８】
2014149753.tif 000010
【図９】
2014149753.tif 000011
【図１０】
2014149753.tif 000012
【図１１】
2014149753.tif 000013
【図１２】
2014149753.tif 000014
【図１３】
2014149753.tif 000015
【図１４】
2014149753.tif 000016
【図１５】
2014149753.tif 000017
【図１６】
2014149753.tif 000018
【図１７】
2014149753.tif 000019
【図１８】
2014149753.tif 000020